(57)【要約】【課題】組立性に優れた小型電子機器及び小型電子機器の製造方法を提供する。【解決手段】内部中空の筐体２と、該筐体２に収容される複数の電子部品と、複数の電子部品間または電子部品と筐体２との間に弾性的に圧縮された状態で取り付けられることにより複数の電子部品とともに筐体内部で固定されるとともに、複数の電子部品間を電気的に接続する弾性接続部品１４、１６と、を備える小型電子機器１において、筐体２は、弾性接続部品１４、１６が圧縮される方向に対して垂直な仮想面に沿う分割面によって分割されており、分割された一方の分割筐体１０と他方の分割筐体１１とが超音波溶着によって互いに押し付けられて接合されることにより、弾性接続部品１４、１６が圧縮された状態になることを特徴とする。【選択図】図１
2009300395.tif 000002
【特許請求の範囲】
【請求項１】
内部中空の筐体と、
該筐体に収容される複数の電子部品と、
前記複数の電子部品間または前記電子部品と前記筐体との間に弾性的に圧縮された状態で取り付けられることにより、前記複数の電子部品とともに前記筐体内部で固定されるとともに前記複数の電子部品間を電気的に接続する弾性接続部品と、
を備える小型電子機器において、
前記筐体は、前記弾性接続部品が圧縮される方向に対して垂直な仮想面に沿う分割面によって分割されており、
分割された一方の分割筐体と他方の分割筐体とが超音波溶着によって互いに押し付けられて接合されることにより、前記弾性接続部品が圧縮された状態になることを特徴とする小型電子機器。
【請求項２】
前記複数の電子部品には、
小型電子機器を制御する制御回路が形成された基板と、
前記制御回路によって制御される表示器と、
が含まれ、
前記弾性接続部品には、
前記基板と前記表示器とを電気的に接続する、弾性素材からなるコネクタ部品が含まれることを特徴とする請求項１に記載の小型電子機器。
【請求項３】
前記複数の電子部品には、
温度を検出する温度センサと、
該温度センサによって検出されるデータに基づいた測定温度を表示する表示器と、
前記温度センサによって検出されるデータを処理して、当該処理により得られた測定温度を前記表示部に表示させるように制御する制御回路が形成された基板と、
が含まれ、
前記弾性接続部品には、
前記基板と前記表示器とを電気的に接続する、弾性素材からなるコネクタ部品が含まれることを特徴とする請求項１に記載の小型電子機器。
【請求項４】
前記複数の電子部品には、
歩数を検出する歩数センサと、
該歩数センサによって検出されるデータに基づいた測定歩数を表示する表示器と、
前記歩数センサによって検出されるデータを処理して、当該処理により得られた測定歩数を前記表示部に表示させるように制御する制御回路が形成された基板と、
が含まれ、
前記弾性接続部品には、
前記基板と前記表示器とを電気的に接続する、弾性素材からなるコネクタ部品が含まれることを特徴とする請求項１に記載の小型電子機器。
【請求項５】
前記複数の電子部品には、
前記基板及び前記表示器に電力を供給する電源が含まれ、
前記弾性接続部品には、
前記基板と前記筐体の内壁面との間で弾性的に圧縮固定される板ばね部を有し、前記基板と前記電源とを電気的に接続する電源端子が含まれることを特徴とする請求項２から４のいずれかに記載の小型電子機器。
【請求項６】
前記複数の電子部品には、振動板を有するブザーがさらに含まれ、
前記他方の分割筐体は、前記振動板の一方の面における端縁付近を支持する支持部を有し、
前記一方の分割筐体は、前記振動板の他方の面における端縁付近を前記弾性接続部品が圧縮される方向と同じ方向に押圧することによって、該振動板を前記支持部に対して押し付ける押圧部を有することを特徴とする請求項１から５のいずれかに記載の小型電子機器。
【請求項７】
内部中空の筐体と、
該筐体に収容される複数の電子部品と、
前記複数の電子部品間または前記電子部品と前記筐体との間に弾性的に圧縮された状態で取り付けられることにより、前記複数の電子部品とともに前記筐体内部で固定されるとともに前記複数の電子部品間を電気的に接続する弾性接続部品と、
を備える小型電子機器の製造方法において、
前記弾性接続部品が圧縮される方向に対して垂直な仮想面に沿う分割面によって分割された前記筐体の一方の分割筐体に、前記複数の電子部品及び前記弾性接続部品を取り付ける第１工程と、
前記一方の分割筐体と他方の分割筐体とを、前記弾性接続部品を圧縮しながら、超音波溶着によって互いに押し付けて接合する第２工程と、
を有することを特徴とする小型電子機器の製造方法。
【請求項８】
前記複数の電子部品には、
小型電子機器を制御する制御回路が形成された基板と、
前記制御回路によって制御される表示器と、
が含まれ、
前記弾性接続部品には、
前記基板と前記表示器とを電気的に接続する、弾性素材からなるコネクタ部品が含まれており、
前記第１工程において、前記基板と前記表示器との間に前記コネクタ部品を介設して、前記複数の電子部品及び前記弾性接続部品を前記一方の分割筐体に対して位置決めし、
前記第２工程において、前記コネクタ部品を前記基板と前記表示器との間で圧縮しながら、前記一方の分割筐体と前記他方の分割筐体とを接合することを特徴とする請求項７に記載の小型電子機器の製造方法。
【請求項９】
前記複数の電子部品には、
温度を検出する温度センサと、
該温度センサによって検出されるデータに基づいた測定温度を表示する表示器と、
前記温度センサによって検出されるデータを処理して、当該処理により得られた測定温度を前記表示部に表示させるように制御する制御回路が形成された基板と、
が含まれ、
前記弾性接続部品には、
前記基板と前記表示器とを電気的に接続する、弾性素材からなるコネクタ部品が含まれており、
前記第１工程において、前記表示器と前記基板との間に前記コネクタ部品を介設して、前記複数の電子部品及び前記弾性接続部品を前記一方の分割筐体に対して位置決めし、
前記第２工程において、前記コネクタ部品を前記表示器と前記基板との間で圧縮しながら、前記一方の分割筐体と前記他方の分割筐体とを接合することを特徴とする請求項７に記載の小型電子機器の製造方法。
【請求項１０】
前記複数の電子部品には、
歩数を検出する歩数センサと、
該歩数センサによって検出されるデータに基づいた測定歩数を表示する表示器と、
前記歩数センサによって検出されるデータを処理して、当該処理により得られた測定歩数を前記表示部に表示させるように制御する制御回路が形成された基板と、
が含まれ、
前記弾性接続部品には、
前記基板と前記表示器とを電気的に接続する、弾性素材からなるコネクタ部品が含まれており、
前記第１工程において、前記表示器と前記基板との間に前記コネクタ部品を介設して、前記複数の電子部品及び前記弾性接続部品を前記一方の分割筐体に対して位置決めし、
前記第２工程において、前記コネクタ部品を前記表示器と前記基板との間で圧縮しながら、前記一方の分割筐体と前記他方の分割筐体とを接合することを特徴とする請求項７に記載の小型電子機器の製造方法。
【請求項１１】
前記複数の電子部品には、
前記基板及び前記表示器に電力を供給する電源が含まれ、
前記弾性接続部品には、
前記基板と前記筐体の内壁面との間で弾性的に圧縮固定される板ばね部を有し、前記基板と前記電源とを電気的に接続する電源端子が含まれており、
前記第１工程において、前記基板と前記一方の分割筐体の内壁面との間に前記電源端子を介設して、前記複数の電子部品及び前記弾性接続部品を前記一方の分割筐体に位置決めし、
前記第２工程において、前記電源端子の前記板ばね部を前記基板と前記一方の分割筐体の内壁面との間で圧縮しながら、前記一方の分割筐体と前記他方の分割筐体とを接合することを特徴とする請求項８から１０のいずれかに記載の小型電子機器の製造方法。
【請求項１２】
前記複数の電子部品には、振動板を有するブザーがさらに含まれ、
前記一方の分割筐体は、前記振動板の一方の面における端縁付近を支持する支持部を有し、
前記他方の分割筐体は、前記振動板の他方の面における端縁付近を前記弾性接続部品が圧縮される方向と同じ方向に押圧することによって、該振動板を前記支持部に対して押し付ける押圧部を有しており、
前記第１工程において、前記振動板を前記支持部に位置決めし、
前記第２工程において、前記押圧部を前記振動板の他方の面における端縁付近に押し付けながら、前記一方の分割筐体と前記他方の分割筐体とを接合することを特徴とする請求項７から１１のいずれかに記載の小型電子機器の製造方法。
【発明の詳細な説明】
【技術分野】
【０００１】
本発明は、電子体温計や歩数計等の小型電子機器及び小型電子機器の製造方法に関するものである。
【背景技術】
【０００２】
電子体温計や歩数計等の小型電子機器では、ＬＳＩその他電子回路素子の小型化に伴って装置全体の小型化が技術的に可能となっている。このような小型電子機器では、電子回路等の内部部品の収容スペースが小さいため、作業性やコストを考慮して、部品と基板との接点として弾力性のある部材が使用されている。
【０００３】
例えば、特許文献１に記載された電子体温計では、表示器（ＬＣＤ）と基板との接点に、ラバー素材の接点が用いられ、また、電池と基板とが金属を数回折り曲げたコネクタにより接続されている。このような弾性的に変形可能な部材を用いて電気的な接続を形成することで、各部材間の溶接等による接続が不要となるため、組み付け作業の簡素化を図ることができる。
【０００４】
このような接続部品は弾力性を有するため、基板に対する電気的な接圧を持たせるために、組み付け時にある程度の圧力をかけた状態で基板を固定する必要がある。特許文献１に記載の電子体温計では、接続部品に基板を圧接した状態で数箇所を熱かしめにより一体的に固定する方法が挙げられている。
【０００５】
図８〜図１０を参照して、従来の構造について説明する。図８は、従来例に係る電子体温計の内部部品の構成を説明する模式的斜視図であり、（ａ）は構成部品をサブケースに組み込む前の状態、（ｂ）はサブケースに組み込んだ後の状態を示している。図９は、従来例に係る電子体温計の構成を説明する模式図であり、（ａ）は電子体温計の平面図、（ｂ）は（ａ）のＤＤ断面図である。図１０は、従来例に係る電子体温計の断面図であり、（ａ）は図９（ａ）のＥＥ断面図、（ｂ）は（ａ）のＦＦ断面図である。
【０００６】
従来例に係る電子体温計１００は、基板１０１やブザー１０３等の構成部品を予め一体的にサブケース１０４に取り付けておき、このサブケース１０４を筐体１０９内部に組み込むことで、組み立てられる構成となっている。
【０００７】
サブケース１０４には、基板１０１やブザー１０３、ブザーカバー１０２のほか、表示器（ＬＣＤ）１０５、接続コネクタ（インターコネクタ）１０６、電池端子１０７、電池１０８等が組み込まれる。サブケース１０４は、各構成部品が組み込まれた後、弾性素材からなる接続コネクタ１０６や板ばね構造を有する電池端子１０７が基板１０１によって押さえ付けられた状態で、かしめ用ボス１０４ａが熱かしめにより固定され、一体化される。
【０００８】
その他の方法としては、ねじによる固定や、サブケースに基板保持構造を設けたスナップフィットによる固定方法等がある。
【０００９】
しかし、熱かしめやねじによる固定は、工数や部品が増えることになり、組立作業が煩雑となってしまう。また、スナップフィットによる固定は、組立作業を簡略化することはできるものの、プラスチック部品の弾力性による固定のため、電気的接圧（接合圧力）を十分確保することが困難であり、場合によっては基板が外れてしまう恐れがある。
【特許文献１】特開平１０−４８０６０号公報
【発明の開示】
【発明が解決しようとする課題】
【００１０】
本発明は上記の従来技術の課題を解決するためになされたもので、その目的とするところは、組立性に優れた小型電子機器及び小型電子機器の製造方法を提供することにある。
【課題を解決するための手段】
【００１１】
上記目的を達成するために、本発明の小型電子機器は、
内部中空の筐体と、
該筐体に収容される複数の電子部品と、
前記複数の電子部品間または前記電子部品と前記筐体との間に弾性的に圧縮された状態で取り付けられることにより、前記複数の電子部品とともに前記筐体内部で固定されるとともに前記複数の電子部品間を電気的に接続する弾性接続部品と、
を備える小型電子機器において、
前記筐体は、前記弾性接続部品が圧縮される方向に対して垂直な仮想面に沿う分割面によって分割されており、
分割された一方の分割筐体と他方の分割筐体とが超音波溶着によって互いに押し付けられて接合されることにより、前記弾性接続部品が圧縮された状態になることを特徴とする。
【００１２】
本発明によれば、分割された筐体を接合する際に、弾性接続部品を圧縮することができる。すなわち、一方の分割筐体と他方の分割筐体とを超音波溶着によって互いに押し付けて接合する際に、弾性接続部品が圧縮されるようにすることで、筐体の接合と筐体内部における電子部品及び弾性接続部品の固定とを１回の作業で行うことができる。したがって、組立作業が簡略化され、作業工程数の低減、製造コストの低減を図ることができる。
【００１３】
前記複数の電子部品には、
小型電子機器を制御する制御回路が形成された基板と、
前記制御回路によって制御される表示器と、
が含まれ、
前記弾性接続部品には、
前記基板と前記表示器とを電気的に接続する、弾性素材からなるコネクタ部品が含まれるとよい。
【００１４】
これにより、小型電子機器において、弾性素材からなるコネクタ部品を介しての基板と表示部との電気的接続及び筐体内部における固定と、筐体の接合と１回の作業で行うことができる。
【００１５】
前記複数の電子部品には、
温度を検出する温度センサと、
該温度センサによって検出されるデータに基づいた測定温度を表示する表示器と、
前記温度センサによって検出されるデータを処理して、当該処理により得られた測定温度を前記表示部に表示させるように制御する制御回路が形成された基板と、
が含まれ、
前記弾性接続部品には、
前記基板と前記表示器とを電気的に接続する、弾性素材からなるコネクタ部品が含まれるとよい。
【００１６】
これにより、電子体温計等の温度を検出する小型電子機器において、弾性素材からなるコネクタ部品を介しての基板と表示部との電気的接続及び筐体内部における固定と、筐体
の接合と１回の作業で行うことができる。
【００１７】
前記複数の電子部品には、
歩数を検出する歩数センサと、
該歩数センサによって検出されるデータに基づいた測定歩数を表示する表示器と、
前記歩数センサによって検出されるデータを処理して、当該処理により得られた測定歩数を前記表示部に表示させるように制御する制御回路が形成された基板と、
が含まれ、
前記弾性接続部品には、
前記基板と前記表示器とを電気的に接続する、弾性素材からなるコネクタ部品が含まれるとよい。
【００１８】
これにより、歩数計等の歩数を検出する小型電子機器において、弾性素材からなるコネクタ部品を介しての基板と表示部との電気的接続及び筐体内部における固定と、筐体の接合と１回の作業で行うことができる。
【００１９】
前記複数の電子部品には、
前記基板及び前記表示器に電力を供給する電源が含まれ、
前記弾性接続部品には、
前記基板と前記筐体の内壁面との間で弾性的に圧縮固定される板ばね部を有し、前記基板と前記電源とを電気的に接続する電源端子が含まれるとよい。
【００２０】
これにより、小型電子機器における電源と基板との電気的接続及び筐体内部における固定と、筐体の接合と１回の作業で行うことができる。
【００２１】
前記複数の電子部品には、振動板を有するブザーがさらに含まれ、
前記他方の分割筐体は、前記振動板の一方の面における端縁付近を支持する支持部を有し、
前記一方の分割筐体は、前記振動板の他方の面における端縁付近を前記弾性接続部品が圧縮される方向と同じ方向に押圧することによって、該振動板を前記支持部に対して押し付ける押圧部を有するとよい。
【００２２】
これにより、小型電子機器がブザーを備える構成の場合には、ブザーの振動板の固定と、筐体の接合とを同時に行うことができる。
【００２３】
また、上記目的を達成するために、本発明の小型電子機器の製造方法は、
内部中空の筐体と、
該筐体に収容される複数の電子部品と、
前記複数の電子部品間または前記電子部品と前記筐体との間に弾性的に圧縮された状態で取り付けられることにより、前記複数の電子部品とともに前記筐体内部で固定されるとともに前記複数の電子部品間を電気的に接続する弾性接続部品と、
を備える小型電子機器の製造方法において、
前記弾性接続部品が圧縮される方向に対して垂直な仮想面に沿う分割面によって分割された前記筐体の一方の分割筐体に、前記複数の電子部品及び前記弾性接続部品を取り付ける第１工程と、
前記一方の分割筐体と他方の分割筐体とを、前記弾性接続部品を圧縮しながら、超音波溶着によって互いに押し付けて接合する第２工程と、
を有することを特徴とする。
【００２４】
本発明によれば、分割された筐体を接合する際に、弾性接続部品を圧縮することができ
る。すなわち、一方の分割筐体と他方の分割筐体とを超音波溶着によって互いに押し付けて接合する際に、弾性接続部品が圧縮されるようにすることで、筐体の接合と筐体内部における電子部品及び弾性接続部品の固定とを１回の作業で行うことができる。したがって、組立作業が簡略化され、作業工程数の低減、製造コストの低減を図ることができる。
【００２５】
前記複数の電子部品には、
小型電子機器を制御する制御回路が形成された基板と、
前記制御回路によって制御される表示器と、
が含まれ、
前記弾性接続部品には、
前記基板と前記表示器とを電気的に接続する、弾性素材からなるコネクタ部品が含まれており、
前記第１工程において、前記基板と前記表示器との間に前記コネクタ部品を介設して、前記複数の電子部品及び前記弾性接続部品を前記一方の分割筐体に対して位置決めし、
前記第２工程において、前記コネクタ部品を前記基板と前記表示器との間で圧縮しながら、前記一方の分割筐体と前記他方の分割筐体とを接合するとよい。
【００２６】
これにより、小型電子機器において、弾性素材からなるコネクタ部品を介しての基板と表示部との電気的接続及び筐体内部における固定と、筐体の接合と１回の作業で行うことができる。
【００２７】
前記複数の電子部品には、
温度を検出する温度センサと、
該温度センサによって検出されるデータに基づいた測定温度を表示する表示器と、
前記温度センサによって検出されるデータを処理して、当該処理により得られた測定温度を前記表示部に表示させるように制御する制御回路が形成された基板と、
が含まれ、
前記弾性接続部品には、
前記基板と前記表示器とを電気的に接続する、弾性素材からなるコネクタ部品が含まれており、
前記第１工程において、前記表示器と前記基板との間に前記コネクタ部品を介設して、前記複数の電子部品及び前記弾性接続部品を前記一方の分割筐体に対して位置決めし、
前記第２工程において、前記コネクタ部品を前記表示器と前記基板との間で圧縮しながら、前記一方の分割筐体と前記他方の分割筐体とを接合するとよい。
【００２８】
これにより、電子体温計等の温度を検出する小型電子機器において、弾性素材からなるコネクタ部品を介しての基板と表示部との電気的接続及び筐体内部における固定と、筐体の接合と１回の作業で行うことができる。
【００２９】
前記複数の電子部品には、
歩数を検出する歩数センサと、
該歩数センサによって検出されるデータに基づいた測定歩数を表示する表示器と、
前記歩数センサによって検出されるデータを処理して、当該処理により得られた測定歩数を前記表示部に表示させるように制御する制御回路が形成された基板と、
が含まれ、
前記弾性接続部品には、
前記基板と前記表示器とを電気的に接続する、弾性素材からなるコネクタ部品が含まれており、
前記第１工程において、前記表示器と前記基板との間に前記コネクタ部品を介設して、前記複数の電子部品及び前記弾性接続部品を前記一方の分割筐体に対して位置決めし、
前記第２工程において、前記コネクタ部品を前記表示器と前記基板との間で圧縮しながら、前記一方の分割筐体と前記他方の分割筐体とを接合するとよい。
【００３０】
これにより、歩数計等の歩数を検出する小型電子機器において、弾性素材からなるコネクタ部品を介しての基板と表示部との電気的接続及び筐体内部における固定と、筐体の接合と１回の作業で行うことができる。
【００３１】
前記複数の電子部品には、
前記基板及び前記表示器に電力を供給する電源が含まれ、
前記弾性接続部品には、
前記基板と前記筐体の内壁面との間で弾性的に圧縮固定される板ばね部を有し、前記基板と前記電源とを電気的に接続する電源端子が含まれており、
前記第１工程において、前記基板と前記一方の分割筐体の内壁面との間に前記電源端子を介設して、前記複数の電子部品及び前記弾性接続部品を前記一方の分割筐体に位置決めし、
前記第２工程において、前記電源端子の前記板ばね部を前記基板と前記一方の分割筐体の内壁面との間で圧縮しながら、前記一方の分割筐体と前記他方の分割筐体とを接合するとよい。
【００３２】
これにより、小型電子機器における電源と基板との電気的接続及び筐体内部における固定と、筐体の接合と１回の作業で行うことができる。
【００３３】
前記複数の電子部品には、振動板を有するブザーがさらに含まれ、
前記一方の分割筐体は、前記振動板の一方の面における端縁付近を支持する支持部を有し、
前記他方の分割筐体は、前記振動板の他方の面における端縁付近を前記弾性接続部品が圧縮される方向と同じ方向に押圧することによって、該振動板を前記支持部に対して押し付ける押圧部を有しており、
前記第１工程において、前記振動板を前記支持部に位置決めし、
前記第２工程において、前記押圧部を前記振動板の他方の面における端縁付近に押し付けながら、前記一方の分割筐体と前記他方の分割筐体とを接合するとよい。
【００３４】
これにより、小型電子機器がブザーを備える構成の場合には、ブザーの振動板の固定と、筐体の接合とを同時に行うことができる。
【発明の効果】
【００３５】
以上説明したように、本発明により、組立性に優れたものとすることができる。
【発明を実施するための最良の形態】
【００３６】
以下に図面を参照して、この発明を実施するための最良の形態を、実施例に基づいて例示的に詳しく説明する。ただし、この実施例に記載されている構成部品の寸法、材質、形状、その相対配置などは、特に特定的な記載がない限りは、この発明の範囲をそれらのみに限定する趣旨のものではない。
【００３７】
（実施例１）
本発明を電子体温計に実施した例について、図１〜図４を参照して説明する。図１は、本発明の実施例１に係る電子体温計の分解斜視図である。図２は、本発明の実施例１に係る電子体温計の断面図である。図３は、図２のＡ部拡大図である。図４は、本発明の実施例１に係る電子体温計の筐体の溶着接合の様子を説明する図２のＢ部拡大図であって、（ａ）は溶着前の状態、（ｂ）は溶着後の状態を示している。
【００３８】
＜電子体温計全体の構成＞
主に、図１〜図３を参照して、本発明の実施例１に係る電子体温計全体の構成等について説明する。
【００３９】
本実施例に係る電子体温計１は、ＡＢＳ樹脂等からなる内部中空の筐体２を備えている。筐体２は、電子基板や電池等の電子部品や接続コネクタや電池端子等の弾性接続部品から構成される内部部品が収容される本体部と、本体部から先細り状に延びるとともに先端内部に温度センサが配置される測温部と、から構成されている。また、筐体２の本体部には測定された温度等が表示される表示部が設けられている。体温測定は、筐体２の測温部が腋下や舌下に挟み込まれ、その先端に配置された温度センサが温度を検出することにより行われる。
【００４０】
筐体２は、本体部から測温部が延びる方向を長手方向とした場合に、長手方向に沿って２つの分割筐体に上下に分割されたような構成となっている（上側筐体１０及び下側筐体１１）。筐体２の分割面は、長手方向の中心軸線を含む仮想面に沿って形成されており、したがって、筐体２は、長手方向の一端から他端まで上下方向に略対称に分割されたような構成となっており、上側筐体１０及び下側筐体１１は、筐体２の本体部及び測温部に対応して、それぞれ、本体部１０ａ及び測温部１０ｂ、本体部１１ａ及び測温部１１ｂを備えた構成となっている。
【００４１】
筐体２の本体部に収容される内部部品（電子部品及び弾性接続部品）には、ブザー１２、基板１３、接続コネクタ（インターコネクタ）１４、表示器（ＬＣＤ）１５、電池端子１６等が含まれる。
【００４２】
ブザー１２は、円板形状の振動板と圧電板が一体的に設けられた構成となっている。なお、ブザー１２の具体的な構成は公知技術であり、その説明は省略する。ブザー１２は、下側筐体１１に設けられた位置決め凹部１１ｃに嵌め込まれて位置決めされるとともに、位置決め凹部１１ｃに設けられた環状の支持部によって振動板の一方の面における端縁付近（端縁に沿って一定の幅を有する部分）が支持される。また、ブザー１２は、振動板の中心を挟んだ２箇所において振動板の他方の面における端縁付近が、上側筐体１０の内壁面から突出する一対の押さえリブ（押圧部）１０ｃによって押圧され、振動板が位置決め凹部１１ｃの支持部に対して押し付けられて固定される。
【００４３】
基板１３は、上側筐体１０に設けられた押さえリブ１０ｄと接続コネクタ１４との間に挟持固定される。基板１３には温度センサ（サーミスタ等の感温素子）１３ａがリード線を介して接続されており、基板１３に形成される電子回路には、温度センサ１３ａによって検出された信号を処理し、当該処理により得られた測定温度を表示部に表示するように制御する制御回路が含まれる。その他、測定終了時を判断してブザー１２に音を鳴らせるように制御する回路等も含まれる。なお、これらの電子回路の具体的な構成（ブロック図）等は公知技術であり、その説明は省略する。
【００４４】
接続コネクタ１４は、弾性素材で作られた圧接型のコネクタ部品であり、基板１３と表示器１５との間に圧縮された状態で固定されるとともに、基板１３と表示器１５とを電気的に接続する。
【００４５】
表示器１５は、表示面側が下側筐体１１の開口部１１ｄに嵌め込まれるとともに、反対側が接続コネクタ１４で圧接されることにより固定される。
【００４６】
電池端子１６は、板バネ構造を有しており、板バネ部１６ａが基板１３下側筐体１１と
の間に圧縮されることにより、基板１３と電池１６ｂとの電気的な接続を保った状態で固定される。
【００４７】
＜電子体温計の製造方法＞
主に、図２〜図４を参照して、電子体温計１の製造方法について説明する。
【００４８】
上記のように構成された電子体温計１は、まず、下側筐体１１に上記各内部部品を装着・位置決めし、次に、上側筐体１０を被せて上側筐体１０と下側筐体１１との接合面を溶着することにより機器全体が組み立てられて製造される。ここで、内部部品（電子部品及び弾性接続部品）の筐体２内部における固定は、上側筐体１０と下側筐体１１との溶着接合と同時に行われる。
【００４９】
上側筐体１０の下側筐体１１との接合面には溶着リブ１０ｅが設けられている。溶着リブ１０ｅは、接合面の全周に渡って設けられている。溶着は、各内部部品が収容されるとともに治具３０に取り付けられた下側筐体１１に上側筐体１０を被せ、ホーン４０を上側筐体１０の外周面に当てて超音波振動を加え、上側筐体１０を微動させながら下側筐体１１に押し付ける（すり合わせる）ことにより行われる。ホーン４０が押し付けられた上側筐体１０は、溶着リブ１０ｅが超音波による振動及び押圧によって溶融することで下側筐体１１との接合面が溶着接合される。
【００５０】
図４（ａ）に示すように、上側筐体１０を被せた段階では、溶着リブ１０ｅが下側筐体１１の接合面に当接し、上側筐体１０と下側筐体１１との接合面同士は接触していない状態である。したがって、各内部部品は互いに接触した状態にはあるが、まだ完全には固定されていない状態であり、それぞれの所定の固定位置に位置決めされて、上側筐体１０と下側筐体１１とによって緩く挟み込まれた状態にある。
【００５１】
図４（ｂ）に示すように、上側筐体１０と下側筐体１１との接合面は、接続コネクタ１４及び電池端子１６の板バネ部１６ａが圧縮される方向に対して垂直な仮想面に沿って設けられており、上側筐体１０と下側筐体１１は、接続コネクタ１４及び電池端子１６の板バネ部１６ａが圧縮される方向と同じ方向に互いに押し付けられることになる。したがって、超音波によって溶着リブ１０ｅが溶融して上側筐体１０と下側筐体１１との接合面が完全に接合した状態になると、接続コネクタ１４及び電池端子１６の板バネ部１６ａが、筐体２や各内部部品間で弾性的に圧縮された状態となる。これにより、各内部部品が筐体２内部に強固に固定された状態となる。
【００５２】
すなわち、上側筐体１０と下側筐体１１とを溶着接合する際にホーン４０から加えられる圧力によって、基板１３を介して接続コネクタ１４及び電池端子１６の板バネ部１６ａが上下方向に圧縮される。さらに、上側筐体１０の押さえリブ１０ｃがブザー１２を押圧する。これにより、基板１３は、上側筐体１０の押さえリブ１０ｄと接続コネクタ１４とによって上下から押圧固定され、表示器１５は、接続コネクタ１４と下側筐体１１とによって上下から押圧固定される。また、電池端子１６は、板バネ部１６ａが基板１３を介して上側筐体１０と下側筐体１１とによって上下から押圧固定される。
【００５３】
ブザー１２の振動板の端縁付近を押圧する押さえリブ１０ｃは、筐体と同じ樹脂材で構成されており、ある程度の可撓性を有している。したがって、上側筐体１０と下側筐体１１とが完全に溶着した状態になったときに、若干撓んだ状態で振動板の端縁に対して押圧接触するようにすれば、振動板の端縁付近をより強固に固定することができる。
【００５４】
溶着リブ１０ｅの高さは、筐体の溶着によって内部部品が圧縮されたときに、接続コネクタ１４及び板バネ部１６ａが十分な電気的接圧を確保することができ、また、押さえリ
ブ１０ｃが振動板の端縁付近を強固に押圧することができる程度の高さに適宜設定される。
【００５５】
＜本実施例の優れた点＞
本実施例に係る電子体温計によれば、溶着リブの溶融によって上側筐体と下側筐体との接合面同士が溶着接合すると同時に、各内部部品間が互いに圧接固定される。すなわち、筐体の接合と内部部品の筐体内部における位置決め固定とを１回の作業で行うことができる。したがって、組立作業が簡略化され、作業工程数の低減、製造コストの低減を図ることができる。
【００５６】
また、上側筐体と下側筐体とが溶着接合される前、すなわち、上側筐体の接合面に設けられた溶着リブが下側筐体の接合面に当接した状態のときに、各内部部品同士は、それぞれの所定位置に位置決めされて互いに接触した状態にある。したがって、上側筐体と下側筐体との接合面が溶着されると、溶着リブが溶融してなくなった分だけ、各内部部品は上側筐体と下側筐体とによって上下方向からさらに押圧される状態になる。これにより、基板や表示器等の電子部品と接続コネクタや電池端子等の弾性接続部品との間の十分な電気的圧接を確保することができる。
【００５７】
また、ブザーは、可撓性を有する押さえリブによって振動板の端縁付近が強固に固定されることにより、装置全体が小型であっても、より大きな音量を得ることができる。
【００５８】
（実施例２）
本発明を歩数計に実施した例について、図５〜図７を参照して説明する。図５は、本発明の実施例２に係る歩数計１ａの構成を説明する模式図であり、（ａ）は分解斜視図、（ｂ）は斜視図である。図６は、本発明の実施例２に係る歩数計の断面図であり、（ａ）は各部品が分解された状態を示し、（ｂ）は各部材が一体化された状態を示している。図７は、図６（ｂ）のＣ部拡大図であり、（ａ）は溶着前、（ｂ）は溶着後の状態を示している。
【００５９】
本実施例に係る歩数計１ａは、筐体が上側筐体１７ａと下側筐体１７ｂとに上下に略対称的に分割された構成となっている。この筐体内には、表示器（ＬＣＤ）１８、接続コネクタ（インターコネクタ）１９、基板２０等の内部部品が収納されている。歩数計１ａの具体的な構成は公知技術であり、その詳しい説明は省略するが、歩数計１ａは、上記内部部品のほか、歩数を検出する歩数センサや、電源としての電池、ユーザが歩数計を操作するための電源スイッチ及び操作ボタン等をさらに備えている。歩数センサとしては、例えば、振り子式のセンサや、片持ち梁構造を有する板状部材に圧電素子を取り付けたＰＺＴ片持ち梁タイプの加速度センサ、チップ型の加速度センサ等が挙げられる。また、基板２０には、歩数センサによって検出されるデータを処理して、当該処理によって得られた測定歩数を表示器１８に表示させるように制御する制御回路等が形成されている。歩数計１ａの制御系の具体的な構成（ブロック図）についても公知技術であり、その説明は省略する。
【００６０】
図６に示すように、上側筐体１７ａの下側筐体１７ｂとの接合面には、溶着リブ１７ｃが設けられている。溶着リブ１７ｃは、上側筐体１７ａの接合面の全周に渡って設けられている。溶着は、上記実施例１の電子体温計と同様、各内部部品が収容されるとともに不図示の治具に取り付けられた下側筐体１７ｂに上側筐体１７ａを被せ、不図示のホーンを上側筐体１７ａの外周面に当てて超音波振動を加え、上側筐体１７ａを微動させながら下側筐体１７ｂに押し付ける（すり合わせる）ことにより行われる。ホーンが押し付けられた上側筐体１７ａは、溶着リブ１７ｃが超音波による振動及び押圧によって溶融することで下側筐体１７ｂとの接合面が溶着接合される。
【００６１】
図７に示すように、上側筐体１７ａと下側筐体１７ｂとの接合面は、接続コネクタ１９が圧縮される方向に対して垂直な仮想面に沿って設けられており、上側筐体１７ａと下側筐体１７ｂは、接続コネクタ１９が圧縮される方向と同じ方向に互いに押し付けられることになる。したがって、超音波によって溶着リブ１７ｃが溶融し（１７ｃ′）、上側筐体１７ａと下側筐体１７ｂとの接合面が完全に接合することにより、上側筐体１７ａと下側筐体１７ｂは、表示器１８を介して、弾性素材からなる接続コネクタ１９を基板２０との間で圧縮しながら固定する。
【００６２】
したがって、本実施例に係る歩数計においても、上記実施例１に係る電子体温計と同様、溶着リブの溶融によって上側筐体と下側筐体との接合面同士が溶着接合すると同時に、各内部部品間が互いに圧接固定されることになる。したがって、筐体の接合と内部部品の筐体内部における位置決め固定とを１回の作業で行うことができ、組立作業が簡略化され、作業工程数の低減、製造コストの低減を図ることができる。
【００６３】
以上述べた実施例の構成は、本発明の一具体例にすぎない。本発明は上記具体例に限定されることはなく、その技術的思想の範囲でさまざまな変形が可能である。したがって、本発明が適用される小型電子機器としては、上記のような電子体温計や歩数計に限られるものではなく、筐体に収容される電子部品間が弾性を有する接続部材によって接続される構成を備えたものであれば、本発明を好適に適用することができる。
【図面の簡単な説明】
【００６４】
【図１】本発明の実施例１に係る電子体温計の分解斜視図である。
【図２】本発明の実施例１に係る電子体温計の断面図である。
【図３】図２のＡ部拡大図である。
【図４】本発明の実施例１に係る電子体温計の筐体の接合の様子を説明する図２のＢ部拡大図である。
【図５】本発明の実施例２に係る歩数計の構成を説明する模式図である。
【図６】本発明の実施例２に係る歩数計の断面図である。
【図７】図６（ｂ）のＣ部拡大図である。
【図８】従来例に係る電子体温計の内部部品の構成を説明する模式的斜視図である。
【図９】従来例に係る電子体温計の構成を説明する模式図である。
【図１０】従来例に係る電子体温計の断面図である。
【符号の説明】
【００６５】
１   電子体温計
２   筐体
１０ 上側筐体
１０ｅ      溶着リブ
１１ 下側筐体
１２ ブザー
１３ａ      温度センサ
１３ 基板
１４ 接続コネクタ
１５ 表示器
１６ｂ      電池
１６ 電池端子
１６ａ      板バネ部
【図１】
2009300395.tif 000003
【図２】
2009300395.tif 000004
【図３】
2009300395.tif 000005
【図４】
2009300395.tif 000006
【図５】
2009300395.tif 000007
【図６】
2009300395.tif 000008
【図７】
2009300395.tif 000009
【図８】
2009300395.tif 000010
【図９】
2009300395.tif 000011
【図１０】
2009300395.tif 000012